(57)【要約】【課題】比較的簡単な構造で、通気、採光・遮光を効果的に行い、かつ閉止時に高い断熱効果を得る。【解決手段】平行に配置された複数の案内板２をその両端で固定板３Ａ、３Ｂにより固定することにより回転案内体１を形成する。この回転案内体１は壁材６に対して配置され、回転軸４を介して回転することにより通風、採光・遮光の調整を行い、かつ各案内板２が鉛直方向に位置して回転案内体１を閉止したときに各案内板２により形成された複数層の密閉空間により回転案内体１に高い断熱性を与える。【選択図】        図１
2004353361.tif 000002
【特許請求の範囲】
【請求項１】
特定の空間の内外に対する通気或いは当該空間の遮光・採光に用いるものであって、回転案内体と、この回転案内体の直径方向の両側に対して密接して位置する一対の密閉面とから成り、回転案内体には空気流動方向或いは光の透過方向にほぼ平行するよう複数の通気用・光透過用の空間が形成され、回転案内体はこれら通気用・光透過用空間の空気流動方向或いは光の透過方向にに対してほぼ直交するよう回転軸を有し、かつ前記密閉面に密接して回転可能なよう略円筒形に形成され、回転案内体の回転角度を調節することにより開放時の空気の流入・流出或いは採光・遮光の調整を可能とし、かつ閉止時にはこれら複数の通気用・光透過用の空間が前記密閉面によって密閉されることにより複数層の密閉空間を形成して断熱性を確保するよう構成したことを特徴とする通気や遮光・採光等に用いる回転型案内装置。
【請求項２】
回転案内体は一定の空間を介して略平行に配置された複数の案内板と、この複数の案内板を固定して一体的な回転案内体とする固定手段とから構成され、これらの案内板により通気用・光透過用の空間が形成されていることを特徴とする請求項１記載の通気や遮光・採光等に用いる回転型案内装置。
【請求項３】
前記複数の案内板のうち、少なくとも一枚の案内板は回転案内体の回転軸に平行する回転軸を有し、この回転軸を中心として隣接する案内板との間の空間部においてその取り付け角度を調節可能なよう構成したことを特徴とする請求項２記載の通気や遮光・採光等に用いる回転型案内装置。
【請求項４】
前記揺動可能な案内板の回転が回転案内体の回転軸と同軸となるよう構成したことを特徴とする請求項２又は３記載の通気や遮光・採光等に用いる回転型案内装置。
【請求項５】
揺動可能な案内板は通気が可能な多孔質材料により形成され、当該案内板を虫除けと通気を確保するための網戸と同様に利用するよう構成したことを特徴とする請求項３又は４記載の通気や遮光・採光等に用いる回転型案内装置。
【請求項６】
前記複数の通気用・光透過用の空間は空気流動方向或いは光の透過方向において上下左右に仕切られた小空間の集合であることを特徴とする請求項１記載の通気や遮光・採光等に用いる回転型案内装置。
【請求項７】
前記小空間はハニカム状に形成されていることを特徴とする請求項６記載の通気や遮光・採光等に用いる回転型案内装置。
【請求項８】
取り付けパネルに対して１以上の回転案内体が設けられることにより、取り付けパネル全体を回転案内体ユニットとして構成することを特徴とする請求項１乃至７の何れかに記載の通気や遮光・採光等に用いる回転型案内装置。
【請求項９】
回転案内体の回転軸には電動モータ等の回転駆動装置が設けられ、回転案内体の回転はこの回転駆動装置により行われるよう構成したことを特徴とする請求項１乃至８の何れかに記載の通気や遮光・採光等に用いる回転型案内装置。
【請求項１０】
回転駆動装置には制御装置が接続し、制御装置には温度、湿度、光量等の検知データが出力され、制御装置はこのデータに基づいて回転駆動装置を介して回転案内体の回転角度を所定の角度に自動制御するよう構成したこと特徴とする請求項１乃至９の何れかに記載の通気や遮光・採光等に用いる回転型案内装置。
【請求項１１】
前記各回転案内体の通気用・光透過用の空間の少なくとも一部に対して網或いは多孔質材料等の通気可能なフィルターが配置され、当該フィルターにより防虫、防塵を行うよう構成したことを特徴とする請求項１乃至１０の何れかに記載の通気や遮光・採光等に用いる回転型案内装置。
【発明の詳細な説明】
【０００１】
【発明の属する技術分野】
本発明は換気手段或いは採光・遮光手段として利用可能な回転型の案内装置に関する。
【０００２】
【従来の技術】
家屋、各種ビルディング等には室内に外気を取り入れたり、或いは逆に室内の空気を外部に排出するために室内外を連通する空間である換気口が設けられていることが多い。
換気口は最も単純なものでは壁面に形成された単純な穴であり、通常はこの穴に対して通気の案内を行うベーン（ｖａｎｅ）が設けられていたり或いは開口部を開閉する手段が設けられていたりする。
【０００３】
【発明が解決しようとする課題】
上記の構成は当然のことながら換気口としての機能を一応果たすものではあるが、次のような問題がある。
【０００４】
換気口はその機能から当然のことながら室内外を連通する空間を形成する必要があるため、冬季等室外が低温となったときの断熱性に問題がある。即ち常時開放型の換気口は当然のことながら、開閉可能な換気口であっても、換気口の開閉手段は薄手のプラスチック板或いは金属板程度であるため、換気口閉止時にも空気流動の遮断効果はあっても断熱効果は全くと言ってよいほどない。このため、多くの場合、換気口の開口面積は必要換気量を前提に設定することが困難であり、室内温度保持上換気口断面積は可能な限り小径に構成されることになる。
【０００５】
また、固定型の案内板である場合には開口面積の調整ができないため通気量の調整そのものができない。
さらに、例えば開口を放射状に複数形成した板材を通気空間を横断するようにして２枚配置し、一方の板材をこの放射中心を中心として回転させることにより開口部の開閉及び開口面積を調節する構成のものがある。この構成の換気口の場合には通気量の調整は可能であるが、断熱性は期待できず前記構成の場合と共通の問題がある。
【０００６】
これらの点に鑑み閉止時の断熱性もある程度考慮した換気手段が幾つか提案されている。
例えば、開口面と平板部とを有する断面平行四辺形の羽を複数連接し、これら各羽を回動することにより開口面を開閉する構成のもの（特開平０５−０５９８７１号）、回動型の複数のルーバーが所定間隔で対設され、各ルーバーが連動して開閉する構成のもの（特開平０６−１８５２６９号）などが提案されている。
【０００７】
上記の何れの構成も、羽板或いはルーバー閉止時に密閉空間ができ、これにより密閉時の断熱性を高めることが可能である。しかしながら何れの構成も多数の羽板或いはルーバーを連動して作動させるために複雑なリンク機構を必要とし、装置全体が複雑かつ大重量化し、また複雑故の故障の発生、装置としての製造価格の上昇、或いは利用範囲が限定される等の問題がある。また形成される密閉空間も羽板前後の平板部により、或いは前後に配置されたルーバーにより構成された一層の空間であり、このような一層の密閉空間では必ずしも高い断熱性は実現されない。
【０００８】
【課題を解決するための手段】
本発明は上記の問題点に鑑み構成されたものであって、特定の空間の内外に対する通気或いは当該空間の遮光・採光に用いることを目的とし、回転案内体と、この回転案内体の直径方向の両側に対して密接して位置する一対の密閉面とから成り、回転案内体には空気流動方向或いは光の透過方向にほぼ平行するよう複数の通気用・光透過用の空間が形成され、回転案内体はこれら通気用・光透過用空間の空気流動方向或いは光の透過方向にほぼ直交するよう回転軸を有し、かつ前記密閉面に密接して回転可能なよう略円筒形に形成され、回転案内体の回転角度を調節することにより開放時の空気の流入・流出或いは採光・遮光の調整を可能とし、かつ閉止時にはこれら複数の通気用・光透過用の空間が前記密閉面により密閉されることにより複数層の密閉空間を形成して断熱性を確保するよう構成したことを特徴とする通気や遮光・採光等に用いる回転型案内装置である。
【０００９】
【発明の実施の形態】
例えば、一定の空間を介して複数の案内板が配置され、かつこの状態を保持するため案内板の両端には固定部材が設けられ、全体として略円筒形の回転案内体が構成される。この回転案内体は例えばユニット化され、１以上の回転案内体が設けられたパネルを家屋の壁面の一部として、例えば換気部として利用したり、或いはブラインドのように採光の調節手段として用いる。
【００１０】
複数の回転案内体を設けた場合、各回転案内体を同時に回転動作させる外、この回転案内体を別個の角度にそれぞれ回転させて、それぞれの回転案内体が個々の通風量や採光量を設定するよう構成することもできる。
【００１１】
【実施例】
以下、本発明を実施例により具体的に説明する。
図１の矢印１は回転案内体を示す。この回転案内体１は複数の案内板２と、その両端に配置された固定板３Ａ、３Ｂとにより構成され、各案内板２は一定の空間を介してそれぞれ平行するように配置されている。
【００１２】
回転案内体１は例えば換気用、或いは採光／遮光用等の用途に利用可能である。また当該回転案内体１を構成する案内板２については、基本的には構成材料の種類の如何は問わない。例えばアクリル等のプラスチック材料、金属材料、ペアガラスや装飾性を高めたステンドグラス等のガラス材、木材、紙等、およそ板材を構成可能な材料であればその目的に応じて利用可能である。
【００１３】
また、一つの回転案内体１に対する案内板２の設置枚数も案内板２を構成する材料、案内板２の肉厚や回転案内体１の使用目的等により自由に設定できる。因みに図示の構成の回転案内体１の案内板設置枚数は５枚である（図２参照）。なお、以下回転案内体１を換気用として使用する場合を例として説明する。
【００１４】
符号４は回転案内体１全体を回転させるための回転軸であって、図示の構成の回転案内体では固定板３Ａから３Ｂに渡って挿通配置されている。このため回転案内体１の中央の固定板２はこの回転軸４により二つに分割された構成となっている。但し案内板２の設置枚数が多い場合、案内板２の強度が高い場合等、回転案内体１全体の強度が高い場合には回転軸４を回転案内体１の全長に沿って配置する必要は必ずしもなく、各固定板３Ａ、３Ｂの外面（案内板２の取り付け面と逆の面）に対してそれぞれ回転軸を突設するよう構成してもよい。
【００１５】次に符号５Ａ、５Ｂ（図２参照）は回転案内体１に対して緊密に位置する密閉面であって、回転案内体１の取り付け対象（図示の場合を壁材６）に対して幅Ｗの通気空間を以て形成される。回転案内体１はこの密閉面５Ａ、５Ｂに近接位置して回転可能に壁材６に配置される。なお、図示の構成では回転案内体１は回転軸４を水平位置にして壁材６に配置されるため、密閉面５Ａ、５Ｂはこの回転案内体１の上下に形成されることになる。
【００１６】
なお、回転案内体１の配置は図示のものに限る必要はなく、回転軸が鉛直方向となるよう垂直に配置したり、あるいは回転軸が斜めになるよう全体を斜めに配置するよう構成することも可能である。
【００１７】
また、図示の構成では密閉面５Ａ、５Ｂは回転案内体１の取り付け対象である壁材６に対して直接形成されているが、例えば１以上の回転案内体１を特定の取り付け対象に取り付けて全体を一つのユニットとして形成することにより、これら密閉面５Ａ、５Ｂをその取り付け対象に形成するよう構成することも可能である。なお、回転案内体１の回転は手動或いは電動モータ等による駆動などいろいろな方法で回転可能である。
【００１８】
次に上記回転案内体１の機能を主として図２を用いて説明する。
なお、（Ａ）乃至（Ｄ）において壁材６の右側の空間を屋内、左側の空間を屋外として以下説明する。
先ず図２（Ａ）は通気手段として配置された回転案内体１の全開状態を示す。回転案内体１は各案内板２が水平となる位置に回転され、これにより回転案内体１の空間部のうち通気可能な空間Ｄ１、Ｄ２、Ｄ３、Ｄ４が形成される。これにより回転案内体１による通気可能な空間は上下の密閉面５Ａ、５Ｂの幅Ｗとほぼ等しくなり、通気可能な空間の断面積が最大となる。
【００１９】
次に回転案内体１を（Ｂ）に示すように各案内板２が屋外に対してやや下降するよう斜めに配置することにより通気可能な空間はほぼＤ２、Ｄ３に限定され、この結果通気量が制限されることになる。なお、案内板２を屋外側に下降するよう回転案内体１を回転させても通気可能な空間を同様に設定することができる。何れの方向に回転させるかは、屋外、屋内の温度差、通気空間を介して透過する屋内外の光の透過量の調節等を考慮して決めることができる。但し、雨水の侵入を防止する観点からは図２（Ｂ）及び（Ｃ）のように屋外側に向かって案内板２が下降するよう回転案内体１をセットするのが望ましい。
【００２０】
（Ｃ）は（Ｂ）の位置にある回転案内体１を更に回転させることにより通気空間を符号Ｄ２´で示すようにＤ２の一部として換気口としての回転案内体１を閉止状態に近い状態まで回転させた場合を示す。この状態においては他の空間はその一端が密閉面５Ａ又は５Ｂに閉止され、屋内側或いは屋外側が閉止された状態となり空気Ａの流動は阻止される。
【００２１】
（Ｄ）は各案内板２がほぼ鉛直方向に位置するまで回転案内体１を回転させ、通気口としての回転案内体１を完全閉止にした状態を示す。これにより（Ａ）の位置で通気空間Ｄ１乃至Ｄ４として機能した空間部は、上下が密閉面５Ａ、５Ｂで閉止され、それぞれ独立した密閉空間Ｒ１、Ｒ２、Ｒ３、Ｒ４となる。この様に密閉空間が複数層形成されることにより、換気口として機能していた回転案内体１は非常に高い断熱性をもって当該換気口を閉止することになり、特に冬場等外気温が低下したときに室内の熱が外気に流れるのを有効に防止できる。
【００２２】
なお、各案内板をアクリル板、ガラス板等の透明材料で形成することにより回転案内体１の閉止時にも採光可能としたり、逆に金属板や木材等の不透明材料とすることにより、回転案内体１をブラインドとして（勿論通気口としての併用可能）採光・遮光の調節を行うように構成してもよい。
【００２３】
図３は本発明の第２の実施例を示す。
この実施例では、回転案内体１を複数配置して一体的なユニットを形成する。符号７は取り付けパネルであって、コンクリートパネルや板壁等家屋の壁面の一部を構成する材料、或いは石膏ボード等家屋の壁面に配置する材料により構成されている。また、取り付けパネルはこのような固定的なもの以外に、例えばドア等の可動型の部材であってもよい。
【００２４】
前記取り付けパネルに対して、図示の構成では符号１Ａ乃至１Ｅで示すように５個の回転案内体が配置されている。この構成において各回転案内体１Ａ乃至１Ｅの回転軸４ａ、４ｂ、４ｃ、４ｄ、４ｅに対してチェーンやベルト等を取り付け、これにより伝達機構により各回転案内体を同時に回転させるように構成する外、個々の回転案内体を独立して適宜回転させるよう構成する事も可能である。個々に回転させる場合にはそれぞれの回転案内体の回転角度を適宜設定し、それぞれの回転案内体を全閉、全開、一部開等としてユニット全体の通気を調整するよう設定することもできる。
【００２５】
またこのユニットを横置きとすることにより、目的に応じて各回転案内体を垂直に配置して使用するようにしてもよい。
なお、各回転案内体１に対して薄型の案内板２を多数配設するよう構成すれば通気空間をより細かく仕切った構成とすることができる。また図示の構成では案内板が完全に水平に位置するときには各回転案内体のそれぞれにおける最上部及び最下部の案内板と取り付けバネル７との間も通気・光透過空間として開放される構成となっている。
【００２６】
図４は本発明の第３の実施例を示す。
この構成では例えば温室の換気口として回転案内体１を自動運転するよう構成している。
回転案内体１は回転軸４を介して駆動装置である電動モータ（ギヤドモータ等）８により回転駆動されるよう構成されている。電動モータ８は制御装置９により制御されており、制御装置９に対しては温度センサ１０、光センサ１１、湿度センサ１２、タイマ１３等が接続しており、制御装置９は温室内の温度、湿度、光量等に対応して予め設定されている通気空間を確保するよう回転案内体１を回転駆動するための指令信号を前記電動モータ８に出力する。なお、この自動制御システムは温室以外に、人が居住する空間、各種のものを保管する倉庫等広範に利用可能である。
【００２７】
図５は第４の実施例を示す。図中５枚の案内板２のうち符号２Ａで示す中央の案内板は、相互に平行して固定されている他の案内板２と相違して、その取り付け角度が調節できるよう構成されている。
【００２８】
即ち、回転案内体１の回転軸４と軸心を共有して案内板２Ａを揺動可能にする軸１４が設けられ、この軸１４を前記回転軸４に対して独立して回動ささせることにより当該案内板２Ａの上下にそれぞれ位置する案内板２Ｂ、２Ｃとの間の空間内において、符号２Ａａから２Ａｂの範囲で揺動可能に構成される。これにより回転案内体１による通気、光の透過を行っているときに、案内板２Ａを所定の角度に調節することにより、通気や光の透過をより微妙に調節することが可能となる。  なお、図示の構成では中央の案内板２Ａを揺動可能としたが、それ以外の案内板であっても独自の揺動軸を設けることにより、他の案内板から独立して揺動できるよう構成することは可能であるが、通気及び光の透過の何れの場合においてもその角度の調節効果が最も大きいのは中央の案内板である。
【００２９】
また前記中央の案内板２Ａを他の案内板と相違して網戸のような微小な開口を有する多孔質材料により構成することによって、この中央の案内板２を虫除け用の網戸として用いることができる。即ち中央の案内板２Ａを２Ａａ或いは２Ａｂの位置にして、この回転案内体１全体を例えば図２（Ｃ）の位置に回転させる。この位置において通気可能な空間は図５に示す案内板２Ｂと２Ｃとの間の空間であるから、この位置で中央の案内板２Ａを上記位置にすることにより、回転案内体１を通過する空気は全てこの多孔質材料からなる案内板２Ａを通過することになり、案内板２Ａは虫除け用の網戸として機能することができる。
【００３０】
図６は第５の実施例を示す。
前記各実施例においては、複数の案内板２をほぼ平行に配置することにより各案内板２によって複数段の通気・光透過空間がスリット状に形成されている。
これに対して、本実施例では通気・光透過空間は空気の流動方向及び光の透過方向に対して上下、左右に区画された小空間１５の集合として構成されている。
【００３１】
図６（Ａ）は上記小空間１５がハニカム状に形成されたものを。また（Ｂ）は案内板２に対応する水平板に対して波板を配置することにより波型の小空間１５を形成したものを、また更に（Ｃ）は仕切部分をより複雑に組み合わせて装飾性をより高めるよう構成したものを示す。なお当然のことながら小空間１５の断面（開放面）の形状はこれら（Ａ）乃至（Ｃ）に限定されるものではなく、欄間等に施されている意匠のようにより一層装飾性を高めるよう構成することは当然可能である。
【００３２】
また、上記小空間を形成した回転案内体１の場合、回転案内体１の閉止時にはこれら多数の小空間がそれぞれ独立した密閉空間となるため、より一層の断熱効果を期待することができる。
【００３３】
なお、上記各実施例において通気・光透過空間の少なくとも一部に対して網又は多孔質材料からなるフィルターを配置することにより、回転案内体１の開放時にこのフィルターにより防虫或いは防塵を行うよう構成してもよい。
【００３４】
【発明の効果】
本発明を各実施例により具体的に示したように、本発明の作動部分は空気の通過及び光の透過が可能な複数の空間からなる回転案内体を回転させる機構だけの単純な構造であり、複雑なリンク機構を必要としないので、安価でかつ故障の発生が少ない装置が提供でき、しかも従来の装置に比較して通気の制御、採光・遮光の制御等を確実かつ微妙に実施することができる。
【００３５】
また回転案内体を全閉とした時に、複数の通気・光透過空間が、それぞれ密閉空間となるため、回転案内体自体の断熱性が極めて高く、従来問題視されていた通気口部分の断熱性不足の問題をほぼ完璧に解決することが可能となる。
【図面の簡単な説明】
【図１】本発明の第１の実施例を示す回転案内体の斜視図である。
【図２】図１のＡ−Ａ線による断面図であって、（Ａ）は回転案内体全開時の断面図、（Ｂ）は回転案内体の一部閉止時の断面図、（Ｃ）は回転案内体を極僅か開とした状態の断面図、（Ｄ）は回転案内体全閉時の断面図である。
【図３】回転案内体ユニットを示し、（Ａ）は（Ｂ）に示す回転案内体ユニットのＢ−Ｂ線による断面図、（Ｂ）は回転案内体ユニットの正面図である。
【図４】回転案内体を自動制御する機構を示す制御部のブロック図及び回転案内体の斜視図である。
【図５】本発明の第４の実施例を示す回転案内体の断面図である。
【図６】（Ａ）乃至（Ｃ）は通気・光透過空間がそれぞれ独立した小空間である回転案内体の正面図である。
【符号の説明】
１  回転案内体
２  案内板
２Ａ  揺動型案内板
３Ａ、３Ｂ  固定板
４  回転軸
５Ａ、５Ｂ  密閉面
６  壁材
７  取り付けパネル
８  電動モータ
９  制御装置
１０  温度センサ
１１  光センサ
１２  湿度センサ
１３  タイマ
１４  揺動軸
１５  小空間
Ａ  空気
Ｄ１、Ｄ２、Ｄ３、Ｄ４  通気空間
Ｒ１、Ｒ２、Ｒ３、Ｒ４  密閉空間
【図１】
2004353361.tif 000003
【図２】
2004353361.tif 000004
【図３】
2004353361.tif 000005
【図４】
2004353361.tif 000006
【図５】
2004353361.tif 000007
【図６】
2004353361.tif 000008